(57)【要約】【課題】スリーブへの着脱性に優れると共に、スリーブへ装着した場合は容易に抜けにくい絶縁カバーを提供すること。【解決手段】電線に圧着されたスリーブに装着される絶縁カバー１であって、一方の側に前記スリーブが挿入される開口部１１が設けられ、他方の側に収納部１２が設けられた略筒状のカバー本体１０と、カバー本体１０の内周面に沿って設けられ、カバー本体１０の軸方向の中心に向けて突出する複数の突起２０と、を備え、突起２０は、カバー本体１０の軸方向と直交する方向において断面が三角形状であり、開口部１１の側に１つの角部２２が位置している。【選択図】図３
0003235599.tif 000002
【実用新案登録請求の範囲】
【請求項１】
電線に圧着されたスリーブに装着される絶縁カバーであって、
一方の側に前記スリーブが挿入される開口部が設けられ、他方の側に収納部が設けられた略筒状のカバー本体と、
前記カバー本体の内周面に沿って設けられ、前記カバー本体の軸方向の中心に向けて突出する複数の突起と、を備え、
前記突起は、前記カバー本体の軸方向と直交する方向において断面が三角形状であり、前記開口部の側に１つの角部が位置している絶縁カバー。
【請求項２】
請求項１に記載の絶縁カバーにおいて、
前記突起の端部は、前記収納部の側よりも前記開口部の側の突出量が小さくなるように傾斜している絶縁カバー。
【請求項３】
請求項１又は２に記載の絶縁カバーにおいて、
前記複数の突起は、前記カバー本体の軸方向に沿って２箇所の内周面にそれぞれ設けられている絶縁カバー。
【考案の詳細な説明】
【技術分野】
【０００１】
本考案は、電線の接続部分に装着される絶縁カバーに関する。
【背景技術】
【０００２】
電気の配線工事において、電線の末端同士を圧着式のスリーブで接続することが行われている。電線に圧着されたスリーブには、外部との絶縁や電線の接続部分を保護することを目的として、樹脂製の絶縁カバーが装着される。従来、絶縁カバーがスリーブから容易に抜けてしまうことを抑制するため、内側に突起を設けた絶縁カバーが提案されている（例えば、特許文献１、２参照）。
【先行技術文献】
【特許文献】
【０００３】
【特許文献１】特開平１１−２５２７６８号公報
【特許文献２】特開平９−２４７８３５号公報
【考案の概要】
【考案が解決しようとする課題】
【０００４】
電線の接続をやり直したり、修復したりする場合、電線に圧着されたスリーブを露出させるため、絶縁カバーをスリーブから引き抜く必要がある。特許文献１の絶縁カバーは、装着後にスリーブから容易に抜けないように構成されているため、絶縁カバーをスリーブから引き抜く作業がやりにくいと考えられる。一方、特許文献２の絶縁カバーは、突起が弾力性を有するため、特許文献１の絶縁カバーと比べてスリーブから引き抜きやすいと考えられる。しかし、特許文献２の絶縁カバーは、スリーブへの挿入方向において、突起とスリーブの先端との接触面積が大きいため、絶縁カバーをスリーブに装着しにくいと考えられる。
【０００５】
本考案は、スリーブへの着脱性に優れると共に、スリーブへ装着した場合は容易に抜けにくい絶縁カバーを提供することを目的とする。
【課題を解決するための手段】
【０００６】
本考案の一態様は、電線に圧着されたスリーブに装着される絶縁カバーであって、一方の側に前記スリーブが挿入される開口部が設けられ、他方の側に収納部が設けられた略筒状のカバー本体と、前記カバー本体の内周面に沿って設けられ、前記カバー本体の軸方向の中心に向けて突出する複数の突起と、を備え、前記突起は、前記カバー本体の軸方向と直交する方向において断面が三角形状であり、前記開口部の側に１つの角部が位置している絶縁カバーである。
【考案の効果】
【０００７】
本考案によれば、スリーブへの着脱性に優れると共に、スリーブへ装着した場合は容易に抜けにくい絶縁カバーを提供することができる。
【図面の簡単な説明】
【０００８】
【図１】第１実施形態の絶縁カバー１の側面図である。
【図２】図１のｓ１−ｓ１断面図である。
【図３】図２のｓ２−ｓ２断面図である。
【図４】スリーブ５０を絶縁カバー１の保持部１３の位置まで挿入した場合の断面図である。
【図５】スリーブ５０を絶縁カバー１の保持部１３に挿入した場合の断面図である。
【図６】スリーブ５０を絶縁カバー１の収納部１２まで挿入した場合の断面図である。
【図７】第２実施形態の絶縁カバー２の断面図である。
【図８】図７のｓ３−ｓ３断面図である。
【図９】スリーブ５０を絶縁カバー２の収納部１２まで挿入した場合の断面図である。
【考案を実施するための形態】
【０００９】
以下、本考案に係る絶縁カバーの実施形態について説明する。なお、本明細書に添付した図面は、いずれも模式図であり、理解しやすさ等を考慮して、各部の形状、縮尺、縦横の寸法比等を、実物から変更又は誇張している。
本明細書等において、形状、幾何学的条件、これらの程度を特定する用語、例えば、「平行」、「方向」等の用語については、その用語の厳密な意味に加えて、ほぼ平行とみなせる程度の範囲、概ねその方向とみなせる範囲を含む。
【００１０】
本明細書では、図１に示すように、絶縁カバー１の長手方向の中心軸を「中心軸ａ」、中心軸ａと平行な方向を「軸方向」ともいう。そして、絶縁カバー１の軸方向をＸ方向とし、Ｘ方向において、開口部１１の側をＸ１方向、収納部１２の側をＸ２方向とする。Ｘ方向において、Ｘ１（Ｘ２）方向を一方の側とすると、Ｘ２（Ｘ１）方向は他方の側となる。また、Ｙ方向と直交する方向を径方向とする。
【００１１】
（第１実施形態）
図１は、第１実施形態の絶縁カバー１の側面図である。図２は、図１のｓ１−ｓ１断面図である。図３は、図２のｓ２−ｓ２断面図である。なお、実際の配線工事においては、電線４０に圧着されたスリーブ５０に対して絶縁カバー１を被せるように装着する形態となるが、本実施形態では、図１に示す絶縁カバー１に対してスリーブ５０を挿入する形態及び絶縁カバー１からスリーブ５０を引き抜く形態として説明する。また、本明細書及び図面では、電線から露出した部分の銅線を含めて「電線」として説明する。
【００１２】
図１及び図２に示すように、絶縁カバー１は、カバー本体１０と、複数の突起２０とを備えている。カバー本体１０及び複数の突起２０は、例えば、透明なポリ塩化ビニル（ＰＶＣ）により形成されている。そのため、絶縁カバー１は、絶縁性、弾力性等を備えている。なお、絶縁カバー１を形成する材料は、ＰＶＣに限らず、他の材料により形成することもできる。
【００１３】
カバー本体１０は、略筒状に形成された部材であり、開口部１１、収納部１２及び保持部１３を備えている。開口部１１は、電線４０（図４参照）に圧着されたスリーブ５０の挿入口となる部分である。収納部１２は、電線４０の先端部分と共にスリーブ５０が収納される部分である。保持部１３は、挿入されたスリーブ５０を保持する部分であり、開口部１１と収納部１２との間に設けられている。
【００１４】
保持部１３は、図１に示すように、側面視において、くびれた形状を有している。保持部１３は、スリーブ５０が挿入されたり、引き抜かれたりした際に、くびれた部分が径方向の外側に膨らむように変形し、スリーブ５０の挿入後や引き抜き後に元の形状に復帰する。
【００１５】
図２に示すように、保持部１３の内周面には、４つの突起２０が設けられている。各突起２０は、中心軸ａを中心として９０°間隔で設けられている。また、各突起２０は、図３に示すように、中心軸ａに対して直交する方向に延在し、且つ、Ｘ方向において同じ位置に設けられている。各突起２０は、カバー本体１０の中心軸ａに向けて突出している。図２に示すように、スリーブ５０が挿入されていない状態において、各突起２０の端部２１の間には、隙間Ｓが形成されている。
【００１６】
突起２０は、図３に示すように、軸方向と直交する方向において断面が三角形状であり、開口部１１の側に１つの角部が位置するように形成されている。以下、開口部１１の側に位置する角部を「角部２２」として説明する。本実施形態において、突起２０の断面は、正三角形である。突起２０の端部２１は、図３に示すように、収納部１２の側（Ｘ２側）よりも開口部１１の側（Ｘ１側）の突出量が小さくなるように傾斜している。端部２１が中心軸ａに対して傾斜する角度θは、例えば、２０°〜５０°程度である。
【００１７】
次に、スリーブ５０を絶縁カバー１に挿入した場合の作用について説明する。図４は、スリーブ５０を絶縁カバー１の保持部１３の位置まで挿入した場合の断面図である。図５は、スリーブ５０を絶縁カバー１の保持部１３に挿入した場合の断面図である。図６は、スリーブ５０を絶縁カバー１の収納部１２まで挿入した場合の断面図である。
【００１８】
図４に示すように、電線４０に圧着されたスリーブ５０の先端部５１を絶縁カバー１の開口部１１に挿入すると、スリーブ５０の先端部５１は、突起２０に当接する。その状態でスリーブ５０を押し込むと、図５に示すように、突起２０はスリーブの先端部５１に押されてＸ２側に撓むように変形する。同時に、絶縁カバー１の保持部１３は、全体が径方向に膨らむように変形する。
【００１９】
図４に示すように、突起２０は、尖った角部２２においてスリーブ５０の先端部５１と当接する。そのため、スリーブ５０をＸ２側に押し込んだときに、平坦面（特許文献１）や曲面（特許文献２）で当接する突起と比べて、スリーブ５０との接触面積をより小さくすることができる。また、突起２０の端部２１は、収納部１２の側よりも開口部１１の側の突出量が小さくなるように傾斜している。そのため、図５に示すように、スリーブ５０をＸ２側に押し込んだときに、突起２０の端部２１を、Ｘ２側により柔軟に撓ませることができる。したがって、第１実施形態の絶縁カバー１においては、スリーブ５０を容易に挿入することができる。
【００２０】
図５に示す状態から更にスリーブ５０を押し込むと、図６に示すように、スリーブ５０は、収納部１２に収納される。スリーブ５０が収納部１２に収納されると、Ｘ２側に撓んでいた各突起２０は、弾性力により元の形状に復帰する。同様に、膨らんでいた絶縁カバー１の保持部１３も元のくびれた形状に復帰する。これにより、図６に示すように、スリーブ５０のフレア部５２は、突起２０によりＸ１側への移動が制限される。そのため、スリーブ５０は、電線４０が引っ張られない限りは、絶縁カバー１から容易に抜けない状態となる。
【００２１】
なお、図示していないが、絶縁カバー１から延びている電線４０を引っ張ると（実際には、スリーブ５０の圧着部分から絶縁カバー１を引っ張ると）、各突起２０がスリーブ５０のフレア部５２に押されてＸ１側に撓むように変形する。同時に、絶縁カバー１の保持部１３は、全体が径方向に膨らむように変形する。そのため、絶縁カバー１から延びている電線４０を引っ張ることにより、スリーブ５０を絶縁カバー１から引き抜くことができる。
以上説明したように、第１実施形態の絶縁カバー１によれば、スリーブ５０への着脱性に優れると共に、スリーブ５０に装着した場合に容易に抜けにくくすることができる。
【００２２】
（第２実施形態）
第２実施形態の絶縁カバー２は、突起２０の配置が第１実施形態と相違する。第２実施形態の絶縁カバー２において、その他の構成は、第１実施形態と同じである。そのため、第２実施形態の説明及び図面において、第１実施形態と同等の部材等には、第１実施形態と同一の符号を付し、重複する説明を省略する。
図７は、第２実施形態の絶縁カバー２の断面図である。図８は、図７のｓ３−ｓ３断面図である。図９は、スリーブ５０を絶縁カバー２の収納部１２まで挿入した場合の断面図である。なお、図７は、第１実施形態の図３に相当する断面図である。
【００２３】
図７及び図８に示すように、第２実施形態の絶縁カバー２は、４つの突起２０のＸ方向の下側に、更に４つの突起１２０が設けられている。各突起１２０の配置、形状等は、Ｘ方向の位置が異なること以外は、Ｘ方向の上側に設けられた突起２０（図２参照）と同じである。上側の突起２０と下側の突起１２０との間隔は、例えば、１．５ｍｍ〜２．５ｍｍ程度である。
【００２４】
第２実施形態において、電線４０に圧着されたスリーブ５０の先端部５１を絶縁カバー２の開口部１１に押し込むと、Ｘ方向の上下に設けられた突起２０及び１２０は、第１実施形態と同様にＸ２側に撓むと共に、絶縁カバー２の保持部１３も、全体が径方向に膨らむように変形する。そのため、第２実施形態の絶縁カバー２においても、スリーブ５０を容易に収納部１２に収納することができる。第２実施形態の絶縁カバー２において、電線４０に圧着されたスリーブ５０の先端部５１を開口部１１から挿入し、収納部１２まで収納すると、図９に示すように、下側の各突起１２０は、Ｘ２側に撓むように変形してスリーブ５０を保持する。そして、スリーブ５０のフレア部５２は、上側の突起２０と下側の突起１２０との間で挟まれた状態となる。そのため、第２実施形態の絶縁カバー２においては、収納部１２に収納されたスリーブ５０を、より安定的に保持することができる。その他、第２実施形態の絶縁カバー２は、第１実施形態の絶縁カバー１と同等の効果を奏する。
【００２５】
（変形形態）
第１実施形態では、カバー本体１０に突起２０を４箇所設ける例について説明したが、突起２０は、２又は３箇所設けてもよいし、５箇所以上設けてもよい。また、第１実施形態では、各突起２０の形状、大きさを同一とした例について説明したが、各突起２０の形状、大きさは、それぞれ異なっていてもよい。更に、第１実施形態では、各突起２０の端部２１を、収納部１２の側（Ｘ２側）よりも開口部１１の側（Ｘ１側）の突出量が小さくなるように傾斜させる例について説明したが、これに限定されない。各突起２０の端部２１を、上記のように傾斜させない構成としてもよい。すなわち、各突起２０の端部２１において、収納部１２の側（Ｘ２側）と開口部１１の側（Ｘ１側）との突出量を同じとしてもよい。第２実施形態の突起１２０についても同様である。
【００２６】
第１実施形態では、図２に示すように、複数の突起２０が中心軸ａを中心として９０°間隔で設けられる例について説明したが、複数の突起２０は、中心軸ａを中心として異なる角度で設けられていてもよい。第２実施形態の突起１２０についても同様である。なお、第２実施形態において、上側の突起２０と下側の突起１２０の形状、大きさ、配置等は、適宜に選択可能であり、図示の例に限定されない。
【００２７】
第１実施形態では、突起２０の断面を正三角形とした例について説明したが、突起２０の断面は、直角三角形でもよいし、二等辺三角形（正三角形を除く）等であってもよい。第２実施形態の突起１２０についても同様である。
【００２８】
第１実施形態では、突起２０が中心軸ａに対して直交する方向に延在する例について説明したが、突起２０は、例えば、中心軸ａに対してＸ２側に傾斜する方向に延在していてもよい。第２実施形態の突起１２０についても同様である。
【００２９】
第１実施形態において、絶縁カバー１は、内部の状態が確認できるようにするため、透明であることが望ましいが、半透明であってもよいし、内部が視認できる程度の濃度であれば、着色されていてもよい。第２実施形態の絶縁カバー２についても同様である。
【符号の説明】
【００３０】
１、２  絶縁カバー
１０  カバー本体
１１  開口部
１２  収納部
１３  保持部
２０、１２０  突起
２１  端部
２２  角部
【図１】
0003235599.tif 000003
【図２】
0003235599.tif 000004
【図３】
0003235599.tif 000005
【図４】
0003235599.tif 000006
【図５】
0003235599.tif 000007
【図６】
0003235599.tif 000008
【図７】
0003235599.tif 000009
【図８】
0003235599.tif 000010
【図９】
0003235599.tif 000011